【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
認証情報と金額情報とを含む利用者情報を複数記憶したデータベースを備えたサーバ装置と、このサーバ装置とネットワークを介して接続された、それぞれ商品販売を行なう複数の自動販売端末機とを有した自動販売システムであって、
上記自動販売端末機は、
商品を購入しようとする利用者の認証情報を入力する認証入力手段と、
現金を入力する入金手段と、
この入金手段により入力された金額情報を上記認証入力手段より入力した認証情報と共に上記サーバ装置のデータベースに転送して記憶させる制御手段とを備えている
ことを特徴とする自動販売システム。
【請求項２】
上記自動販売端末機は、
上記認証入力手段で入力された利用者の認証情報に基づいて上記サーバ装置のデータベースより該認証情報に対応して記憶されている金額情報を読出し、利用者の商品購入に使用する金銭管理手段をさらに備えていることを特徴とする請求項１記載の自動販売システム。
【請求項３】
上記金銭管理手段は、上記入金手段より入力される現金と併せて利用者の商品購入に供することを特徴とする請求項２記載の自動販売システム。
【請求項４】
上記入金手段により入力され、商品の購入に際して発生した残金の金額情報を上記認証入力手段より入力した認証情報と共に上記サーバ装置のデータベースに転送して記憶させる
ことを特徴とする請求項１乃至３いずれかに記載の自動販売システム。
【請求項５】
上記認証情報は、認証番号情報であり、
上記自動販売端末機は、上記認証番号情報を記載したカードを発行するカード発行手段をさらに備え、
上記認証入力手段は、上記カード発行手段で発行されたカードに記載された認証番号情報を読取る読取機構である
ことを特徴とする請求項１乃至３いずれかに記載の自動販売システム。
【請求項６】
上記認証情報は、利用者の身分証明書に記載された番号情報であり、
上記自動販売端末機に備えられる認証入力手段は、利用者の身分証明書から番号情報を読取る読取機構である
ことを特徴とする請求項１乃至３いずれかに記載の自動販売システム。
【請求項７】
上記認証情報は、利用者の指紋情報であり、
上記自動販売端末機に備えられる認証入力手段は、利用者の指紋情報を読取る読取機構である
ことを特徴とする請求項１乃至３いずれかに記載の自動販売システム。
【請求項８】
認証情報と金額情報とを含む利用者情報を複数記憶したデータベースを備えたサーバ装置とネットワークを介して接続されて、商品販売を行なう自動販売装置であって、
商品を購入しようとする利用者の認証情報を入力する認証入力手段と、
現金を入力する入金手段と、
この入金手段により入力され、商品の購入に際して発生した残金の金額情報を上記認証入力手段より入力した認証情報と共に上記サーバ装置のデータベースに転送して記憶させる記憶手段と
を備えることを特徴とする自動販売装置。
【請求項９】
認証情報と金額情報とを含む利用者情報を複数記憶したデータベースを備えたサーバ装置とネットワークを介して接続されて、商品販売を行なう自動販売端末機での自動販売方法であって、
商品を購入しようとする利用者の認証情報を入力する認証入力工程と、
現金を入力する入金工程と、
この入金工程で入力された金額情報を上記認証入力工程で入力した認証情報と共に上記サーバ装置のデータベースに転送して記憶させる利用者登録工程と
を有したことを特徴とする自動販売方法。
【手続補正２】
【補正対象書類名】明細書
【補正対象項目名】０００５
【補正方法】変更
【補正の内容】
【０００５】
【課題を解決するための手段】
請求項１記載の発明は、認証情報と金額情報とを含む利用者情報を複数記憶したデータベースを備えたサーバ装置と、このサーバ装置とネットワークを介して接続された、それぞれ商品販売を行なう複数の自動販売端末機とを有した自動販売システムであって、上記自動販売端末機は、商品を購入しようとする利用者の認証情報を入力する認証入力手段と、現金を入力する入金手段と、この入金手段により入力された金額情報を上記認証入力手段より入力した認証情報と共に上記サーバ装置のデータベースに転送して記憶させる制御手段とを備えていることを特徴とする。
【手続補正３】
【補正対象書類名】明細書
【補正対象項目名】０００６
【補正方法】変更
【補正の内容】
【０００６】
このようなシステム構成とすれば、１度目の利用時にある程度の金額をサーバ装置のデータベースに記憶させておくことが可能となる。
請求項２記載の発明は、上記請求項１記載の発明において、上記自動販売端末機は、上記認証入力手段で入力された利用者の認証情報に基づいて上記サーバ装置のデータベースより該認証情報に対応して記憶されている金額情報を読出し、利用者の商品購入に使用する金銭管理手段とを備えていることを特徴とする。
このようなシステム構成とすれば、上記請求項１記載の発明の作用に加えて、２度目以降の利用に際してはその都度無駄な小銭等を用意することなく気軽に希望する商品を購入することが可能となる。
請求項３記載の発明は、上記請求項２記載の発明において、上記金銭管理手段は、上記入金手段より入力される現金と併せて利用者の商品購入に供することを特徴とする。
このようなシステム構成とすれば、上記請求項２記載の発明の作用に加えて、現金と上記金額情報を併せて使用することが可能となる。
【手続補正４】
【補正対象書類名】明細書
【補正対象項目名】０００７
【補正方法】変更
【補正の内容】
【０００７】
請求項４記載の発明は、上記請求項１乃至３いずれかに記載の発明において、上記入金手段により入力され、商品の購入に際して発生した残金の金額情報を上記認証入力手段より入力した認証情報と共に上記サーバ装置のデータベースに転送して記憶させることを特徴とする。
【手続補正５】
【補正対象書類名】明細書
【補正対象項目名】０００８
【補正方法】変更
【補正の内容】
【０００８】
このようなシステム構成とすれば、上記請求項１乃至３いずれかに記載の発明の作用に加えて、釣り銭の金額情報をそのままサーバ装置のデータベースに転送して記憶させることができるため、小銭を持ち歩く必要がなく、いつでも気軽に商品を購入できる。
【手続補正６】
【補正対象書類名】明細書
【補正対象項目名】０００９
【補正方法】変更
【補正の内容】
【０００９】
請求項５記載の発明は、上記請求項１乃至３いずれかに記載の発明において、上記認証情報は、認証番号情報であり、上記自動販売端末機は、上記認証番号情報を記載したカードを発行するカード発行手段をさらに備え、上記認証入力手段は、上記カード発行手段で発行されたカードに記載された認証番号情報を読取る読取機構であることを特徴とする。
【手続補正７】
【補正対象書類名】明細書
【補正対象項目名】００１０
【補正方法】変更
【補正の内容】
【００１０】
このようなシステム構成とすれば、上記請求項１乃至３いずれかに記載の発明の作用に加えて、発行されるカードには認証番号情報が記載されるだけで、金銭に関する具体的な内容はサーバ装置側でのみ管理されるため、カードから金銭に関する情報が偽造されるようなことがなく、発行が容易でセキュリティの面でも比較的安全に運用できる。
【手続補正８】
【補正対象書類名】明細書
【補正対象項目名】００１１
【補正方法】変更
【補正の内容】
【００１１】
請求項６記載の発明は、上記請求項１乃至３いずれかに記載の発明において、上記認証情報は、利用者の身分証明書に記載された番号情報であり、上記自動販売端末機に備えられる認証入力手段は、利用者の身分証明書から番号情報を読取る読取機構であることを特徴とする。
【手続補正９】
【補正対象書類名】明細書
【補正対象項目名】００１２
【補正方法】変更
【補正の内容】
【００１２】
このようなシステム構成とすれば、上記請求項１乃至３いずれかに記載の発明の作用に加えて、利用者の年齢等を勘案して商品を販売できるため、タバコやアルコール類など年齢制限のある商品でも確実に利用者を選択して時間帯に関係なく販売することができる。
請求項７記載の発明は、上記請求項１乃至３いずれかに記載の発明において、上記認証情報は、利用者の指紋情報であり、上記自動販売端末機に備えられる認証入力手段は、利用者の指紋情報を読取る読取機構であることを特徴とする。
このようなシステム構成とすれば、上記請求項１乃至３いずれかに記載の発明の作用に加えて、利用者が自分を認識させるための物を何も所有していなくても商品を販売できるため、より利用者の使い勝手を向上することができる。
【手続補正１０】
【補正対象書類名】明細書
【補正対象項目名】００１３
【補正方法】変更
【補正の内容】
【００１３】
請求項８記載の発明は、認証情報と金額情報とを含む利用者情報を複数記憶したデータベースを備えたサーバ装置とネットワークを介して接続されて、商品販売を行なう自動販売装置であって、商品を購入しようとする利用者の認証情報を入力する認証入力手段と、現金を入力する入金手段と、この入金手段により入力され、商品の購入に際して発生した残金の金額情報を上記認証入力手段より入力した認証情報と共に上記サーバ装置のデータベースに転送して記憶させる記憶手段とを備えることを特徴とする。
【手続補正１１】
【補正対象書類名】明細書
【補正対象項目名】００１４
【補正方法】変更
【補正の内容】
【００１４】
このような構成とすれば、１度目の利用時にある程度の釣り銭をサーバ装置のデータベースに記憶させておくことが可能となる。
【手続補正１２】
【補正対象書類名】明細書
【補正対象項目名】００１５
【補正方法】変更
【補正の内容】
【００１５】
請求項９記載の発明は、認証情報と金額情報とを含む利用者情報を複数記憶したデータベースを備えたサーバ装置とネットワークを介して接続されて、商品販売を行なう自動販売端末機での自動販売方法であって、商品を購入しようとする利用者の認証情報を入力する認証入力工程と、現金を入力する入金工程と、この入金工程で入力された金額情報を上記認証入力工程で入力した認証情報と共に上記サーバ装置のデータベースに転送して記憶させる利用者登録工程とを有したことを特徴とする。
【手続補正１３】
【補正対象書類名】明細書
【補正対象項目名】００１６
【補正方法】変更
【補正の内容】
【００１６】
このような方法とすれば、１度目の利用時にある程度の釣り銭をサーバ装置のデータベースに記憶させておくことが可能となる。
【手続補正１４】
【補正対象書類名】明細書
【補正対象項目名】０１１５
【補正方法】変更
【補正の内容】
【０１１５】
【発明の効果】
請求項１記載の発明によれば、１度目の利用時にある程度の金額をサーバ装置のデータベースに記憶させておくことが可能となる。
請求項２記載の発明によれば、上記請求項１記載の発明の効果に加えて、２度目以降の利用に際してはその都度無駄な小銭等を用意することなく気軽に希望する商品を購入することが可能となる。
請求項３記載の発明によれば、上記請求項２記載の発明の効果に加えて、現金と上記金額情報を併せて使用することが可能となる。
【手続補正１５】
【補正対象書類名】明細書
【補正対象項目名】０１１６
【補正方法】変更
【補正の内容】
【０１１６】
請求項４記載の発明によれば、上記請求項１乃至３いずれかに記載の発明の効果に加えて、釣り銭の金額情報をそのままサーバ装置のデータベースに転送して記憶させることができるため、小銭を持ち歩く必要がなく、いつでも気軽に商品を購入できる。
【手続補正１６】
【補正対象書類名】明細書
【補正対象項目名】０１１７
【補正方法】変更
【補正の内容】
【０１１７】
請求項５記載の発明によれば、上記請求項１乃至３いずれかに記載の発明の効果に加えて、発行されるカードには認証番号情報が記載されるだけで、金銭に関する具体的な内容はサーバ装置側でのみ管理されるため、カードから金銭に関する情報が偽造されるようなことがなく、発行が容易でセキュリティの面でも比較的安全に運用できる。
【手続補正１７】
【補正対象書類名】明細書
【補正対象項目名】０１１８
【補正方法】変更
【補正の内容】
【０１１８】
請求項６記載の発明によれば、上記請求項１乃至３いずれかに記載の発明の効果に加えて、利用者の年齢等を勘案して商品を販売できるため、タバコやアルコール類など年齢制限のある商品でも確実に利用者を選択して時間帯に関係なく販売することができる。
請求項７記載の発明によれば、上記請求項１乃至３いずれかに記載の発明の効果に加えて、利用者が自分を認識させるための物を何も所有していなくても商品を販売できるため、より利用者の使い勝手を向上することができる。
【手続補正１８】
【補正対象書類名】明細書
【補正対象項目名】０１１９
【補正方法】変更
【補正の内容】
【０１１９】
請求項８記載の発明によれば、１度目の利用時にある程度の釣り銭をサーバ装置のデータベースに記憶させておくことが可能となる。
【手続補正１９】
【補正対象書類名】明細書
【補正対象項目名】０１２０
【補正方法】変更
【補正の内容】
【０１２０】
請求項９記載の発明によれば、１度目の利用時にある程度の釣り銭をサーバ装置のデータベースに記憶させておくことが可能となる。